(57)【要約】【課題】疲れにくく、リラックスして使用できる電気カーペットを実現することを目的としている。【解決手段】クッション材１と、その上面に面状に構成された屈曲自在な発熱体２と、更にその上面に構成された表面材３とからなり、前記クッション材１は、形状が自在に変形でき、かつ適当な形状で固定する固定手段５を設けることにより、使用者が好む形状に変形固定することで、疲れにくく、リラックスして使用することが可能な面状採暖具を具現化できる。【選択図】　図１
2004093080.tif 000002
【特許請求の範囲】
【請求項１】
クッション材と、前記クッション材の上面に面状に構成された屈曲自在な発熱体と、前記発熱体の上面に構成された表面材とからなり、前記クッション材は、形状が自在に変形でき、かつ変形した形状を維持するための固定手段を設けた面状採暖具。
【請求項２】
クッション材は空気を注入することで形状変更可能に構成した請求項１に記載の面状採暖具。
【請求項３】
クッション材は、複数に分割されてなる請求項１または２に記載の面状採暖具。
【請求項４】
クッション材に空気を注入する為のエアーポンプを有する請求項２または３に記載の面状採暖具。
【請求項５】
クッション材内部に圧力センサを有し、前記圧力センサからの出力に応じて、エアーポンプの運転を制御するようにした請求項４に記載の面状採暖具。
【請求項６】
クッション材の上面に内部の空気を噴出するための複数個の微細な孔を構成した請求項２〜５のいずれか１項に記載の面状採暖具。
【請求項７】
複数個の微細な孔の分布に疎密を設けた請求項６に記載の面状採暖具。
【発明の詳細な説明】
【０００１】
【発明の属する技術分野】
本発明は、形状を自在に変化固定できる面状採暖具に関するものである。
【０００２】
【従来の技術】
図９において、従来の面状採暖具の外観図を示す。従来の面状採暖具は電気カーペットに代表されるように、床面に敷いて使用されるものである。電気カーペットの基本的な構成は、カーペットカバー２０と、ヒータユニット２１からなり、ヒータユニット２１は表面材２２と断熱材２３の間に発熱線２４が面状に配線されて構成されるものが一般的である。使用者は平面状に敷かれた電気カーペット等の面状採暖具の上面に座ったり、横臥して採暖するものである。
【０００３】
【発明が解決しようとする課題】
しかしながら、前記従来の構成では、座椅子などを用いると座部が採暖できないため、直接電気カーペットの上面に座ることとなり、結果として長時間使用すると姿勢を保つことに疲れてしまうといった課題を有していた。
【０００４】
本発明は、前記従来の課題を解決するもので、直接採暖する接触暖房の良さは残しつつ、保ちたい姿勢に合わせて形状を自由に変形固定する手段を持たせることにより、長時間使用しても疲れにくい面状採暖具を提供するものである。
【０００５】
【課題を解決するための手段】
前記従来の課題を解決するために、本発明の面状採暖具は、クッション材と、その上面に面状に構成された屈曲自在な発熱体と、更にその上面に構成された表面材とからなり、前記クッション材は、形状が自在に変形でき、かつ適当な形状で固定する手段を設けて構成したもので、これによって使用者が面状採暖具の上面に載って使用する際、使用者が保ちたい姿勢に合わせてクッション材を変形固定させることで、長時間使用しても疲れにくくすることができる。
【０００６】
【発明の実施の形態】
請求項１に記載の発明は、クッション材と、前記クッション材の上面に面状に構成された屈曲自在な発熱体と、前記発熱体の上面に構成された表面材とからなり、前記クッション材は、形状が自在に変形でき、かつ変形した形状を維持するための固定手段を設けるように構成することで、本発明の面状採暖具の使用者が、自分の保ちたい姿勢に合わせて面状採暖具の形状を変形固定できることにより、長時間使用しても使用者が疲労感を感じさせることを軽減できる効果が得られる。
【０００７】
請求項２に記載の発明は、特に請求項１に記載のクッション材を、空気を注入することで、その形状を変更できるように構成することにより、本体の重量を軽量化ことを可能ならしめ、かつ形状を比較的自由に変形固定させることができるものである。
【０００８】
請求項３に記載の発明は、特に請求項１または２に記載のクッション材を複数に分割して構成することにより、使用部位に応じて使用者が求める形状をより自由度高く具現化することができるものである。
【０００９】
請求項４に記載の発明は、特に請求項２または３記載のクッション材に空気を注入するためのエアーポンプを有するように構成したことにより、使用者がより簡便に求める形状を実現しやすくしたものである。
【００１０】
請求項５に記載の発明は、特に請求項４記載のクッション材内部に圧力センサを有し、前記圧力センサからの出力に応じて、エアーポンプの運転を制御するように構成することにより、必要に応じたクッション性を自動的に制御実現することができるようにしたものである。
【００１１】
請求項６に記載の発明は、特に請求項２〜５のいずれか１項に記載のクッション材の上面に内部の空気を噴出するための複数個の微細な孔を構成することにより、使用者と面状採暖具の接触面の蒸れを未然に防ぐ効果が得られるものである。
【００１２】
請求項７に記載の発明は、特に請求項６に記載のクッション材の上面に設けられた複数個の微細な孔の分布に疎密を設けることにより、使用部位に応じた通気量が制御でき、より快適な使用感をもたらすことができるものである。
【００１３】
【実施例】
以下、本発明の実施例について図面を参照しながら説明する。
【００１４】
（実施例１）
図１（ａ）、（ｂ）は本発明の第１の実施例における面状採暖具の外観正面一部断面図、および裏面図である。図２は本発明の第１の実施例における面状採暖具の変形固定時の外観斜視図である。
【００１５】
図１（ａ）、（ｂ）において、床面に面した位置にクッション材１があり、その上面に面状に配線されたチュービングヒータ線２があり、さらに上面には表面材３が設けられている。チュービングヒータ線２には制御部４が接続されており、温度制御を行うことができる。クッション材１は、屈曲自在な材料で構成されている。またクッション材１の裏面には形状を固定するための固定手段である面ファスナー５が設けられている。
【００１６】
以上のように構成された面状採暖具において、使用者はまず屈曲自在なクッション材１の形状を好みの形状に設定する。形状が決まれば、クッション材１に構成されている面ファスナー５を用い形状を固定化する。クッション材１の形状に沿う形で面状採暖具はその形状が決まる。クッション材１の上面には面状に配線されたチュービングヒータ線２が構成されているが、チュービングヒータ線２は上面から荷重が加わるともに、屈曲自在なクッション材１の上面に構成されていることにより、高い荷重耐久性能や繰り返し屈曲耐久性能が求められる。従って、本実施例では、図３に示すように複数の袋状に縫製された繊維でできた生地６の内部に、半固定の状態でチュービングヒータ線２が配線固定されている。半固定状態で配線固定することで、チュービングヒータ線２上面からの荷重等が加わっても力は分散されることにより、構成面から高い信頼性を付与することができるものである。該チュービングヒータ線２を包含した生地６はその外周部でクッション材１と表面材３と縫製固定されているものである。チュービングヒータ線２は制御部４と電気的に接続されており、制御部４はチュービングヒータ線２への通電を制御する働きを有し、面状採暖具の温度コントロールを司るものである。クッション材１の裏面には面ファスナー５が構成されている。図１（ｂ）に示す様に、面ファスナー５はフック側（オス）５ａとループ側（メス）５ｂが交互に位置するように構成固定されている。そのことにより、クッション材１の形状を自由に設定固定することが可能となる。本実施例としては形状固定の固定手段として面ファスナー５を用いたが、固定バンド等、形状を固定できるものであれば異なる手段を用いても良い。
【００１７】
（実施例２）
図３は、本発明の第２の実施例の面状採暖具の断面図である。
【００１８】
実施例１の構成を基本とし、さらにクッション材７はエアーを注入することでその形状やクッション性をコントロールできるようにしたものである。
【００１９】
以上のように構成された面状採暖具において、クッション材７に使用者は好みに応じてエアーを注入することができる。クッション材７にエアーを注入することで形状を変化させるものである。このことにより面状採暖具は自由に形状を変化固定できるものである。
【００２０】
（実施例３）
図４は、本発明の第３の実施例の面状採暖具の断面図である。
【００２１】
実施例２の構成を基本とし、さらにクッション材８は複数個に分割されて構成されているものである。
【００２２】
以上のように構成された面状採暖具において、複数個に分割されて構成されているクッション材８は、使用形状をある程度想定し個々のクッション材８の大小は適切に構成されている。使用者は自分の好みに合わせて、クッション材７にエアーを注入し形状を変化させるものである。このことにより面状採暖具は、より自由にその形状を変化固定できるものである。
【００２３】
（実施例４）
図５は、本発明の第４の実施例の面状採暖具の外観図である。
【００２４】
実施例３の構成を基本とし、さらにクッション材７やクッション材８には自らエアーを注入するためのエアーポンプ９が構成されているものである。
【００２５】
以上のように構成された面状採暖具において、クッション材７やクッション材８に連結されているエアーポンプ９により、使用者は容易にエアーをクッション材７、やクッション材８内へ注入することができるものである。
【００２６】
（実施例５）
図６は、本発明の第５の実施例の面状採暖具の断面図である。
【００２７】
実施例４の構成を基本とし、クッション材７やクッション材８の内部には圧力センサ１０が構成されているものである。
【００２８】
以上のように構成された面状採暖具において、エアーポンプ９によりクッション材７やクッション材８内部にエアーが注入される。所定量のエアーが注入されると、クッション材７やクッション材８に内設された圧力センサ１０は内圧を検出し、電気信号に変換して制御部４へ送信される。制御部４は圧力センサ１０からの電気信号により、適切なタイミングでエアーポンプ９の運転を制御することができるものである。
【００２９】
（実施例６）
図７は、本発明の第６の実施例の面状採暖具の部分断面図である。
【００３０】
実施例５の構成を基本とし、クッション材７、クッション材８の上面側には微細な孔１１があけられて構成されたものである。
【００３１】
以上のように構成された面状採暖具において、エアーポンプ９でクッション材７やクッション材８へエアーが注入されると、クッション材７やクッション材８は一定の形状にまで膨らんだ後、クッション材７やクッション材８の表面にあけられた微細な孔１１からエアーが噴出することになる。エアーが噴出することで、クッション材７やクッション材８の内圧が一定に保たれる効果と、噴出したエアーにより使用者と面状採暖具間の蒸れ感を除去する効果が得られる。
【００３２】
（実施例７）
図８は、本発明の第７の実施例の面状採暖具の上面図である。
【００３３】
実施例６の構成を基本とし、クッション材７、クッション材８の上面側にあけられた微細な孔１１の開口位置に疎密を設けるようにしたものである。
以上のように構成された面状採暖具において、使用者の使用する部位を中心に微細な孔の開口分布を設けることで、より効率的にエアーの注入を可能とすることができるものである。
【００３４】
【発明の効果】
以上のように、本発明によれば、クッション材と、その上面に面状に構成された屈曲自在な発熱体と、更にその上面に構成された表面材とからなり、前記クッション材は、形状が自在に変形でき、かつ適当な形状で固定する手段を設けることにより、使用者がよりリラックスできる姿勢で面状採暖具を使用することが可能となるものである。
【図面の簡単な説明】
【図１】（ａ）本発明の第１の実施例における面状採暖具の外観正面一部切り欠き図
（ｂ）本発明の第１の実施例における面状採暖具の裏面図
【図２】本発明の第１の実施例における面状採暖具の変形固定時の外観斜視図
【図３】本発明の第２の実施例における面状採暖具の断面図
【図４】本発明の第３の実施例の面状採暖具の断面図
【図５】本発明の第４の実施例の面状採暖具の断面図
【図６】本発明の第５の実施例の面状採暖具の外観図
【図７】本発明の第６の実施例の面状採暖具の断面図
【図８】本発明の第７の実施例の面状採暖具の正面図
【図９】従来例の面状採暖具の切り欠き図
【符号の説明】
１　クッション材
２　チュービングヒータ線（発熱体）
３　表面材
４　制御部
５　面ファスナー（固定手段）
９　エアーポンプ
１０　圧力センサ
１１　孔
【図１】
2004093080.tif 000003
【図２】
2004093080.tif 000004
【図３】
2004093080.tif 000005
【図４】
2004093080.tif 000006
【図５】
2004093080.tif 000007
【図６】
2004093080.tif 000008
【図７】
2004093080.tif 000009
【図８】
2004093080.tif 000010
【図９】
2004093080.tif 000011